(57)【要約】【解決手段】本発明は、防塵シャッタ（１０）付き面板に関する。一実施形態において、面板は、面板本体（１）と、面板本体に設けられると共に差込み及び差込み解除に適合する接続ポート（４）と、接続ポートを覆うための防塵シャッタとを有する。防塵シャッタは、接続ポートが閉状態及び開状態間で切り替えることができるように閉位置及び開位置間を移動可能である。防塵シャッタ配置ユニット（３０，２１，２２）は、防塵シャッタの動作に応答して閉位置及び開位置に防塵シャッタを配置することができる。特に、防塵シャッタは、接続ポートが開状態にある開位置に保持することができる。また、防塵シャッタは、接続ポートを一旦閉じる必要があると、適時に閉位置に戻ることができる。
2012514295.tif 000002
【特許請求の範囲】
【請求項１】
面板本体（１）と、
前記面板本体に設けられると共に差込み及び差込み解除に適合する接続ポートと、
前記接続ポートが閉状態及び開状態間で切り替えることができるように閉位置及び開位置間を移動可能である、前記接続ポートを覆うための防塵シャッタ（１０）と、
前記防塵シャッタの動作に応答して前記閉位置及び前記開位置に前記防塵シャッタを配置することができる防塵シャッタ配置ユニットと
を具備することを特徴とする防塵シャッタ付き面板。
【請求項２】
前記接続ポートは、前記面板本体の着脱可能に設けられた接続ポートモジュールとなるよう構成されており、
前記防塵シャッタは前記接続ポートモジュールに設けられることを特徴とする請求項１記載の防塵シャッタ付き面板。
【請求項３】
前記防塵シャッタ配置ユニットは、前記防塵シャッタを前記閉位置に配置するための第１配置部材と、該第１配置部材と協働して前記防塵シャッタを前記開位置に配置する第２配置組立体とを具備することを特徴とする請求項１記載の防塵シャッタ付き面板。
【請求項４】
前記第１配置部材は、前記防塵シャッタに弾性力を及ぼすための第１弾性要素（３０）を具備し、
前記第１弾性要素は、前記面板本体上に固定された一端と、弾性力により前記防塵シャッタを前記閉位置に配置するよう前記防塵シャッタに対して抵抗した他端とを有することを特徴とする請求項３記載の防塵シャッタ付き面板。
【請求項５】
前記第２配置組立体は、
該第２配置組立体の一端が前記面板本体に回転可能に接続された配置要素（２１）であって、該配置要素が該配置要素の軸支点から該配置部材の他端まで長さＬ１を有し、該長さＬ１は前記軸支点から前記防塵シャッタまでの垂直距離Ｈ１より大きい配置要素と、
前記防塵シャッタから突出した停止部（２２）と、
前記配置要素の移動方向を変更するためのリセット機構と
を具備し、
前記防塵シャッタが前記閉位置から前記開位置へ押圧されると、前記配置要素の他端が前記停止部に対して抵抗する結果、前記防塵シャッタが前記配置要素の弾性力を超えると共に前記開位置に配置され、
前記配置要素の他端が前記防塵シャッタから係合解除するまで該防塵シャッタがさらに押圧されると、前記防塵シャッタは、前記リセット機構の動作の下で移動方向を変更し、前記第１配置部材の弾性力により前記閉位置に戻ることを特徴とする請求項４記載の防塵シャッタ付き面板。
【請求項６】
前記第２配置組立体の前記リセット機構は、
前記防塵シャッタに形成された細長のスルーホール（２３）と、
前記配置部材の両側に対向配置されると共に前記配置部材にそれぞれ接続された２個の第２弾性要素（２４）と
を具備し、
前記２個の第２弾性要素の各々は、前記面板本体に固定された一端と、前記配置部材に接続された他端とを有し、
前記防塵シャッタが前記閉位置にある場合、前記配置部材の他端は、前記第２弾性要素の弾性力によって前記細長のスルーホール内に受容されることを特徴とする請求項５記載の防塵シャッタ付き面板。
【請求項７】
前記停止部は、傾斜面と前記防塵シャッタにほぼ直交する停止面とを有する楔の形状であり、
前記防塵シャッタが前記開位置へ押圧される間、前記配置部材の他端は、前記開位置に前記防塵シャッタを配置するように前記停止面に対して抵抗するまで、前記停止部の前記傾斜面上を滑ることを特徴とする請求項６記載の防塵シャッタ付き面板。
【請求項８】
前記第２配置組立体は、前記面板本体に設けられると共に前記配置部材が回転可能に接続された配置シャフト（２５）をさらに具備することを特徴とする請求項７記載の防塵シャッタ付き面板。
【請求項９】
前記第１弾性要素はトーションばねとなるよう構成され、
前記第２弾性要素は１対の引っ張りばねとなるよう構成され、
前記トーションばねの弾性力は、前記引っ張りばねの弾性力より大きいことを特徴とする請求項４ないし８のうちいずれか１項記載の防塵シャッタ付き面板。
【請求項１０】
前記停止部は、前記第１配置部材から遠く離れた前記防塵シャッタの一面に固定されることを特徴とする請求項４ないし８のうちいずれか１項記載の防塵シャッタ付き面板。
【請求項１１】
前記防塵シャッタ配置ユニットは、前記接続ポートが外部プラグコネクタに接続される、前記面板本体の一側壁に設けられることを特徴とする請求項４記載の防塵シャッタ付き面板。
【請求項１２】
前記防塵シャッタは、外部プラグコネクタが前記面板本体に挿入される方向にほぼ直交する方向に沿って移動することを特徴とする請求項１記載の防塵シャッタ付き面板。
【発明の詳細な説明】
【技術分野】
【０００１】
本発明はコネクタに適用及び適合可能である面板（faceplate）に関し、特に防塵シャッタ付き面板に関する。
【背景技術】
【０００２】
従来技術において、接続ポートに防塵シャッタ構造を使用する面板が公知である。この防塵シャッタ構造によって、ネットワークコネクタが外部環境から隔離され、コネクタの内部への塵埃の侵入が防止される。
【発明の概要】
【発明が解決しようとする課題】
【０００３】
現在の市場において、従来の面板は、その接続ポートに実装された通常の防塵シャッタを具備することが多い。面板の背面には、弾性部材が設けられている。弾性部材は、その一端が面板の側壁に結合され、他端が防塵シャッタに当接する。上述の防塵シャッタ構造において、防塵シャッタは、弾性部材からの弾性によって接続ポートが閉鎖される元の位置に保たれている。接続を達成するよう外部プラグコネクタを接続ポートに挿入することが要求されると、通常、ユーザは、防塵シャッタを手動で引っ張り、弾性部材の弾性を超える力を防塵シャッタに加えることにより接続ポートを露出させる必要がある。ユーザからの外力が解放されると、防塵シャッタは、弾性部材からの弾性により元の位置に自動的に戻り、外部からの塵埃を遮断するように面板の接続ポートのシャッタを閉める。
【０００４】
使用時において、ユーザは、最初に防塵シャッタを引っ張って接続ポートを露出させ、次に、外部プラグコネクタが接続ポート内に挿入可能となるように接続ポートの開状態を維持するよう防塵シャッタを保持し続けなければならない。この作業中、ユーザは一方の手で暫くの間、防塵シャッタを引っ張り、接続ポートの開状態を維持するよう防塵シャッタを保持し続けなければならない。ちょうど同じ時に、ユーザは、接続を達成するよう他方の手で接続ポート内に外部プラグコネクタを挿入する必要が依然としてある。ユーザが両手でこれら全ての作業を一度に行うことは困難であることは明白である。さらに、接続ポート及び防塵シャッタの双方は寸法が極めて小さいので、上述の作業は常に手数がかかる。
【０００５】
状況によって、ユーザは、外部プラグコネクタを保持し、防塵シャッタの側面に抗して外部プラグコネクタの前端が抵抗し、弾性部材に向かって防塵シャッタを押圧した後、面板のコネクタ部内に外部プラグコネクタを挿入する。しかし、ＲＪ（位置決めジャック）モジュールプラグコネクタ等の外部プラグコネクタは、上述の作業を行うことができない。また、プラグのばらつきのため、これらの作業は或るタイプの外部プラグコネクタには適用できない。例えば、段構造を有するプラグは、これらの作業で接続ポートに接続することができない。このようなタイプのプラグを接続ポートに接続する間、防塵シャッタは弾性部材からの弾性により即座に戻るので、小さな径を有するプラグの前部のみが接続ポート内に容易に挿入できるのに対し、大きな径を有する後部は接続ポートに容易に挿入することはできない。その上、接続に関してより高い要求事項がある光プラグは、この方法によって接続することができない。
【０００６】
従って、外部プラグコネクタの接続を容易にするように開位置に保持することができる防塵シャッタを有する面板を提供することが当分野では望まれる。
【０００７】
本発明は、上述の不利のうち少なくとも一面を克服又は緩和するためになされた。従って、本発明の目的は、接続ポートが開状態にありながら防塵シャッタを開位置に保持することが可能であり、しかも接続ポートを閉じるために防塵シャッタが閉位置に戻ることができる防塵シャッタ付き面板を提供することである。
【０００８】
本発明の別の目的は、防塵シャッタが簡単な構造を有するのみならず、作業が容易な防塵シャッタ付き面板を提供することである。
【課題を解決するための手段】
【０００９】
本発明によれば、面板本体と、この面板本体に設けられると共に差込み及び差込み解除に適合する接続ポートと、接続ポートが閉状態及び開状態間で切り替えることができるように閉位置及び開位置間を移動可能である、接続ポートを覆うための防塵シャッタと、防塵シャッタの動作に応答して閉位置及び開位置に防塵シャッタを配置することができる防塵シャッタ配置ユニットとを具備する防塵シャッタ付き面板が提供される。
【００１０】
好適な一実施形態において、接続ポートは、面板本体の着脱可能に設けられた接続ポートモジュールとなるよう構成されており、防塵シャッタはこの接続ポートモジュールに設けられる。
【００１１】
特に、防塵シャッタ配置ユニットは、防塵シャッタを閉位置に配置するための第１配置部材と、第１配置部材と協働して防塵シャッタを開位置に配置する第２配置組立体とを具備する。
【００１２】
別の好適な実施形態において、第１配置部材は、防塵シャッタに弾性力を及ぼすための第１弾性要素を具備する。この第１弾性要素は、面板本体上に固定された一端と、弾性力により防塵シャッタを閉位置に配置するよう防塵シャッタに対して抵抗した他端とを有する。
【００１３】
具体的には、第２配置組立体は、一端が面板本体に回転可能に接続された配置要素であって、配置要素がその軸支点からその他端まで長さＬ１を有し、長さＬ１は軸支点から防塵シャッタまでの垂直距離Ｈ１より大きい配置要素と、防塵シャッタから突出した停止部と、配置要素の移動方向を変更するためのリセット機構とを具備する。防塵シャッタが閉位置から開位置へ押圧されると、配置要素の他端が停止部に対して抵抗し、その結果、防塵シャッタが配置要素の弾性力を超えると共に開位置に配置され、配置要素の他端が防塵シャッタから係合解除するまで防塵シャッタがさらに押圧されると、防塵シャッタは、リセット機構の動作の下で移動方向を変更し、第１配置部材の弾性力により閉位置に戻る。
【００１４】
さらに、第２配置組立体のリセット機構は、防塵シャッタに形成された細長のスルーホールと、配置部材の両側に対向配置されると共に配置部材にそれぞれ接続された２個の第２弾性要素とを具備する。各第２弾性要素は、面板本体に固定された一端と、配置部材に接続された他端とを有する。防塵シャッタが閉位置にある場合、配置部材の他端は、第２弾性要素の弾性力によって細長のスルーホール内に受容される。
【００１５】
特に、停止部は、傾斜面と防塵シャッタにほぼ直交する停止面とを有する楔の形状をとる。防塵シャッタが開位置へ押圧される間、配置部材の他端は、開位置に防塵シャッタを配置するように停止面に対して抵抗するまで、停止部の傾斜面上を滑る。
【００１６】
さらに別の好適な実施形態において、第２配置組立体は、面板本体に設けられると共に配置部材が回転可能に接続された配置シャフトをさらに具備する。
【００１７】
別の好適な実施形態において、第１弾性要素はトーションばねであり、第２弾性要素は１対の引っ張りばねとなるよう構成される。トーションばねの弾性力は、引っ張りばねの弾性力より大きい。
【００１８】
好適には、停止部は、第１配置部材から遠く離れた防塵シャッタの一面に固定される。
【００１９】
さらに、防塵シャッタ配置ユニットは、外部プラグコネクタを接続するよう構成された面板本体の一側壁に設けられる。
【００２０】
好適には、防塵シャッタは、外部プラグコネクタが面板本体に挿入される方向にほぼ直交する方向に沿って移動する。
【００２１】
上述したことから明白であるように、本発明は少なくとも以下の利点を有する。防塵シャッタ付き面板は、外部プラグコネクタの挿入及び抜去を容易にするために開位置及び閉位置のそれぞれに防塵シャッタを配置することができる防塵シャッタ配置ユニットを付加的に提供する。本発明によれば、防塵シャッタは、接続ポートが開状態にある開位置に保持されることができると共に、接続ポートを閉じるために閉位置に適時に戻ることができる。本発明の防塵シャッタ付き面板は、簡単な構造を有し、作業が容易である。本発明に係る防塵シャッタ付き面板によれば、防塵シャッタ配置ユニットは、ネットワークコネクタに適用できるのみならず、当分野の他の同様なコネクタにも適用できることに留意されたい。
【００２２】
本発明のこれら又は他の側面は、添付図面と併せて以下の実施形態の詳細な説明から明白であり、より容易に理解されよう。
【図面の簡単な説明】
【００２３】
【図１】防塵シャッタの閉位置の状態を示す、本発明の好適な一実施形態に係る防塵シャッタ付き面板の概略図である。
【図２】防塵シャッタの開位置の状態を示す、上述の実施形態に係る防塵シャッタ付き面板の別の概略図である。
【図３】外部コネクタが面板に接続された状態を示す、上述の実施形態に係る使用時の防塵シャッタ付き面板の概略図である。
【図４】上述の実施形態に係る防塵シャッタ付き面板の側面図である。
【図５】防塵シャッタが閉位置から開位置へ作動される操作を示す、上述の実施形態に係る防塵シャッタ付き面板の概略図である。
【図６】防塵シャッタが閉位置から開位置へ作動される操作を示す、上述の実施形態に係る防塵シャッタ付き面板の概略図である。
【図７】防塵シャッタが閉位置から開位置へ作動される操作を示す、上述の実施形態に係る防塵シャッタ付き面板の概略図である。
【図８】防塵シャッタの使用時に防塵シャッタが閉位置に戻る操作を示す、上述の実施形態に係る防塵シャッタ付き面板の概略図である。
【図９】防塵シャッタの使用時に防塵シャッタが閉位置に戻る操作を示す、上述の実施形態に係る防塵シャッタ付き面板の概略図である。
【図１０】防塵シャッタの使用時に防塵シャッタが閉位置に戻る操作を示す、上述の実施形態に係る防塵シャッタ付き面板の概略図である。
【発明を実施するための形態】
【００２４】
以下、本開示の典型的な実施形態を、添付図面を参照して詳細に説明する。ここで、同様の要素には同様の参照番号が付される。しかし、本開示は、異なる多くの形態で具現化できるので、本明細書に説明された実施形態に限定するものとして解釈してはならない。むしろ、これらの実施形態は、本開示が完全且つ徹底的であり、本開示のコンセプトを当業者に十分に伝えるように提供されるものである。
【００２５】
本発明の範囲は、図面の単なる概略図、構成部材の数、その材料、その形状、その相対配置等に限定するものでは全くなく、一実施形態の一例を単に示すものである。
【００２６】
本発明は、コネクタの分野、特にネットワークコネクタの分野で適用される防塵シャッタ付き面板を提供するものである。防塵シャッタ付き面板は、（外部プラグコネクタ３等の）外部コネクタと面板内の電気モジュール２とを接続するために使用される。図１ないし図３に示されるように、防塵シャッタ付き面板は主として、面板本体１、この面板本体１に設けられると共に差込み及び差込み解除に適合する接続ポート４、及び防塵用に接続ポートを覆う防塵シャッタ１０を具備する。接続ポート４を覆う防塵シャッタ１０は、面板本体１の接続ポート４が閉状態及び開状態の間を対応して切り替えることができるように、開位置及び閉位置の間の移動できるよう構成されている。防塵シャッタ付き面板は、防塵シャッタ配置ユニットをさらに有する。防塵シャッタ１０が移動すると、防塵シャッタ１０の動作に応じて、防塵シャッタ配置ユニットが閉位置及び開位置に防塵シャッタ１０を配置することができ、この結果、接続ポート４は対応して閉状態又は開状態に移ることができる。このため、ユーザが接続ポート４内に外部プラグコネクタ３を挿入すること、及び接続ポート４から外部プラグコネクタ３を抜去することが容易である。図１は、面板の防塵シャッタ１０が閉位置に配置された状態を示す概略図である。この閉位置では、面板の接続ポート４は、防塵シャッタに覆われ、すなわち閉状態にある。図２は、面板の防塵シャッタ１０が開位置に配置された状態を示す概略図である。この開位置では、面板の接続ポート４は、プラグ３の挿入を容易にするために開状態にある。
【００２７】
図３ないし図５に示されるように、本発明の好適な実施形態によれば、防塵シャッタ付き面板は主として、内部に接続ポート４が設けられた面板本体１、接続ポートを覆う防塵シャッタ１０、及び防塵シャッタ１０の動作に応じて作動可能な防塵シャッタ配置ユニットを具備する。同時に、本発明の防塵シャッタ付き面板は、面板本体１の接続ポート４に着脱自在に配置された接続ポートモジュール５０をさらに具備する。具体的には、好適な実施形態において、接続ポートモジュール５０は防塵シャッタ１０を有し、防塵シャッタ配置ユニットは防塵シャッタ１０を配置するように防塵シャッタ１０の動作に応じて作動可能である。図４に示されるように、防塵シャッタ１０は、外部プラグコネクタが面板本体１内に挿入される方向にほぼ直交するＸ方向に沿って移動する。防塵シャッタ１０及び防塵シャッタ配置ユニットが面板本体１上に直接配置されるように、接続ポートモジュール５０を面板本体１と一体形成することができることは明白である。
【００２８】
本発明によれば、防塵シャッタ配置ユニットは主として、防塵シャッタ１０を閉位置に配置するための第１配置部材と、第１配置部材と協働して防塵シャッタ１０を開位置に配置する第２配置組立体とを具備する。上述した好適な実施形態において、防塵シャッタ配置ユニットは、外部プラグコネクタが接続ポートに接続された面板本体１の側壁に設けられる。他の実施形態において、防塵シャッタ配置ユニットの具体的位置は、必要に応じて面板本体１の他の位置であってもよいことは明白である。
【００２９】
第１配置部材は、防塵シャッタ１０上に弾性的に設けられた第１弾性要素となるよう構成されている。第１弾性要素は、面板本体１に実装された一端と、弾性力によって防塵シャッタ１０を閉位置に配置するために防塵シャッタ１０に対して抵抗する他端とを有する。好適な実施形態において、図４に示されるように、防塵シャッタ配置ユニットの第１配置部材は、トーションばね３０として具現化される。このトーションばね３０は、防塵シャッタ１０が移動する平坦面に配置される。そして、トーションばね３０の動作は、対応してＸ方向に制限される。具体的には、固定ブロック５１は、接続ポートモジュール５０の一側から突出する。そして、トーションばね３０の一方の弾性アームが固定ブロック５１に固定されるのに対し、トーションばね３０の他方の弾性アームは防塵シャッタ１０の側壁に対して抵抗する。従って、トーションばね３０の弾性力により、防塵シャッタ１０は、面板本体１の接続ポート４を閉状態に維持するように閉位置に配置される。しかし、本発明はこの実施形態に限定せず、第１配置部材は、本発明の防塵シャッタ１０を閉位置に移動可能に保持することができる任意の他の弾性配置部材であってもよいことに留意されたい。
【００３０】
好適な実施形態において、第２配置組立体は、面板本体１上に回転可能に設けられた配置要素２１と、防塵シャッタから突出する停止部と、配置要素２１の移動方向を変更するためのリセット機構とを具備する。図５に示されるように、本発明によれば、配置シャフト２５は接続ポートモジュール５０の側壁に形成され、配置要素２１は配置シャフト２５上に回転可能に設けられる。具体的には、ラチェット状の配置要素２１は、接続ポートモジュール５０の側ｈ系に回転可能に接続された一端（末端）と、防塵シャッタ１０の背面に対して配置された他端（先端２１１）とを有する。ここで、配置要素２１は、その軸支点からその他端２１１まで長さＬ１を有する。この長さＬ１は、配置要素２１の軸支点（すなわち、配置シャフト２５）から防塵シャッタ１０までの垂直距離Ｈ１より大きい。このようにして、配置要素２１は、防塵シャッタ１０及び配置シャフト２５間で付勢される。同時に、突出した停止部２２もまた防塵シャッタ１０の背面に形成され、停止部２２は防塵シャッタ１０のトーションばね３０（第１配置部材）から遠く離れた一側に固定される。さらに、停止部２２は、楔形状をなし、防塵シャッタ１０の背面にほぼ直交する停止面２２２と、防塵シャッタ１０の背面に抗して斜めに抵抗する傾斜面２２１とを有する。防塵シャッタ１０が開位置へ押圧されると、配置要素２１の先端２１１は、防塵シャッタ１０で停止部２２に対して抵抗する。さらに、防塵シャッタ１０が開位置へ押圧されるのに対し、配置部材２１の先端２１１は、停止部２２の停止面２２２に対して抵抗するまで停止部２２の傾斜面２２１上を滑る。この結果、防塵シャッタ１０は、開位置に配置されるようトーションばね３０（第１配置部材）から弾性力を超えることができ、防塵シャッタ１０の配置を達成しすなわち防塵シャッタ１０を開位置に保持すると共に接続ポート４を開状態に維持する。
【００３１】
配置要素２１の先端２１１が防塵シャッタ１０から係合解除されるまで防塵シャッタ１０がさらに押圧されると、防塵シャッタ１０は、リセット機構の動作の下で移動方向を変更し、トーションばね３０（第１配置部材）からの弾性力によって閉位置に戻り、接続ポート４を閉状態に戻すよう押圧する。第２配置組立体のリセット機構は、防塵シャッタ１０に形成された細長のスルーホール２３と、配置部材２１をリセットし反転させるために、配置部材２１の両側に対向配置されると共に配置部材２１にそれぞれ接続された２個の第２弾性要素２４とを具備する。２個の第２弾性要素２４の各々は、接続ポートモジュール５０に固定された一端と、配置部材２１に接続された他端とを有する。防塵シャッタ１０が閉位置にある場合、配置部材２１の先端２１１は、第２弾性要素２４の弾性力によって細長のスルーホール２３内に受容される。第２弾性要素が１対の引っ張りばねとして具現化されるのに対し、第１弾性要素はトーションばね３０として具現化され、第１弾性要素としてのトーションばねの弾性力は第２弾性要素としての引っ張りばね２４の弾性力より大きいことに留意されたい。
【００３２】
本発明の好適な実施形態に係る防塵シャッタ付き面板の構造及びその作動原理は、上述の通り説明し図示した。以下、添付図面を参照して本発明の防塵シャッタ付き面板の用法を詳細に説明する。
【００３３】
図３ないし図１０に示されるように、防塵シャッタ付き面板が最初の状態にあると、防塵シャッタ１０は図４及び図５に示されるようにトーションばね３０（第１弾性要素）の弾性作動の下で閉位置に位置し、接続ポート４は閉状態にある。また、第２配置組立体の配置要素２１は、２個の引っ張りばね２４（第２弾性要素）の弾性によって細長のスルーホール２３に受容される先端２１１を有すると共に、防塵シャッタ１０の背面に対して直交する。この瞬間、第２弾性要素は、防塵シャッタ１０の配置（位置決め）には作用していない。
【００３４】
防塵シャッタ１０が外力により閉位置から開位置へ押圧される間、防塵シャッタ１０はＸ方向に沿って左に向かって移動し、その一方で、配置要素２１の先端２１１は細長のスルーホール２３から離れ、２個の引っ張りばね２４の弾性を超え、図６に示されるように撓み始める。次に、先端２１１は、防塵シャッタ１０の背面上を滑り始め、停止部２２の傾斜面２２１上を滑り続ける。防塵シャッタ１０が開位置へ押圧されると、配置要素２１の先端２１１は、停止部２２の傾斜面２２１上を滑り、図７に示されるように配置要素２１の停止面２２２に対して抵抗する。これにより、防塵シャッタ１０は、接続ポートを開状態に保持するように開位置に配置される。このようにして、ユーザは、例えば光コネクタのプラグである外部プラグコネクタ３を面板の接続ポート４内に容易に挿入することができ、外部プラグコネクタ３を面板の内側のＲＪモジュール等の電気モジュール２に電気接続する。
【００３５】
他方、外部プラグコネクタ３が接続ポート４から取り外された後、接続ポート４は閉状態に戻る必要があり、防塵シャッタ１０は閉位置に戻る必要がある。この瞬間において、外部プラグコネクタ３が取り外された後、防塵シャッタ１０は、外力によりＸ方向に沿って左に向かってさらに押圧されてもよい。この結果、停止部２２に対して抵抗した配置要素２１の先端２１１は、停止面２２１から離れ、停止要素２１の先端２１１が図８に示されるように防塵シャッタ１０の背面から係合解除されるまで防塵シャッタ１０の背面上を滑り続ける。次に、配置要素２１は、図９に示されるように２個の引っ張りばね２４（第２弾性要素）の弾性により配置要素２１が防塵シャッタ１０の背面に直交する位置まで戻る。
【００３６】
この時点において、ユーザが外力を一旦及ぼすと、防塵シャッタ１０は、トーションばね３０の弾性により閉位置まで跳ね返り、接続ポート４を閉状態に戻す。その一方で、図１０に示されるように、配置要素２１は、その撓み方向が反転し、配置要素２１の先端２１１が細長のスルーホール２３に再度受容されるまで防塵シャッタ１０の移動で防塵シャッタ１０の背面上を滑り、次に防塵シャッタ１０が開かれるまで待機する。
【００３７】
本明細書に開示された接続ポートモジュール５０は、（好適な実施形態で説明された）面板本体１の接続ポート４上に着脱可能に実装されてもよいし、面板本体１と一体に形成されてもよい。面板本体１と一体に形成された場合には、防塵シャッタ１０及び防塵シャッタ配置ユニットは、面板本体１に直接設けられる。
【００３８】
複数の典型的な実施形態を図示し説明したが、これらの実施形態には、本発明の原理及び真髄を逸脱することなく、様々な変形、変更が可能であり、本発明の範囲は、特許請求の範囲及びその等価物で定まることは当業者には理解されよう。
【符号の説明】
【００３９】
１    面板本体
４    接続ポート
１０  防塵シャッタ
２１  配置要素
２２  停止部
２３  細長のスルーホール
２４  第２弾性要素
２５  配置シャフト
３０  トーションばね（第１弾性要素）
Ｈ１  垂直距離
Ｌ１  長さ
【図１】
2012514295.tif 000003
【図２】
2012514295.tif 000004
【図３】
2012514295.tif 000005
【図４】
2012514295.tif 000006
【図５】
2012514295.tif 000007
【図６】
2012514295.tif 000008
【図７】
2012514295.tif 000009
【図８】
2012514295.tif 000010
【図９】
2012514295.tif 000011
【図１０】
2012514295.tif 000012
【国際調査報告】
2012514295.tif 000013
2012514295.tif 000014
2012514295.tif 000015